(57)【要約】【課題】アプライト型電気掃除機において、ジュータン等の集塵性能を向上させること。【解決手段】吸込口４と、これに臨む回転ブラシ２とを有する集塵部１を備え、回転ブラシ２の前方斜め上方の集塵部１外郭に外気取入口５を形成し、外気取入口５から吸引される外気を、回転ブラシ２と被掃除面との接地部に向けて噴出する構成とした。これにより、回転ブラシ２がジュータンを掻き分ける部分に集中的に空気を吹き付けることができ、毛足の長いジュータンに吸込口４を塞がれた場合でも、塵埃をジュータンから引き離すことが容易となり、また前記接地部に向けて吹き付けられた外気を利用して、引き離した塵埃を効率よく本体の下流側の塵埃収納室等へ運ぶことができ、集塵性能等を向上させることができる。【選択図】図４
2007282768.tif 000002
【特許請求の範囲】
【請求項１】
被掃除面と対向する面に吸込口を設けると共に回転ブラシを内蔵した集塵部を有するアプライト型電気掃除機において、前記回転ブラシ前方斜め上方の集塵部の外郭に外気取入口を形成し、前記外気取入口から吸引される外気を、前記回転ブラシと被掃除面との接地部に向けて噴出する構成としたアプライト型電気掃除機。
【請求項２】
外気取入口から、回転ブラシと被掃除面との接地部に向けて、集塵部外郭の内壁から筒状のガイド部を延設した請求項１記載のアプライト型電気掃除機。
【請求項３】
外気取入口に開閉弁を設け、外気取入口を開閉自在に構成した請求項１記載のアプライト型電気掃除機。
【請求項４】
外気取入口または筒状のガイド部を、回転ブラシの回転軸方向に、複数個設けた請求項１または２記載のアプライト型電気掃除機。
【請求項５】
外気取入口または筒状のガイド部の開口面積を、回転ブラシの回転軸方向の両端に近づくほど、大きくなるようにした請求項４記載のアプライト型電気掃除機。
【発明の詳細な説明】
【技術分野】
【０００１】
本発明は、アプライト型電気掃除機の集塵構造に関するものである。
【背景技術】
【０００２】
従来の電気掃除機の吸込口体を、図７を用いて説明する。
【０００３】
下面に吸込口２８を開口するケース体２４内に、吸込口２８に臨んで回転清掃体５１が回転自在に軸支されている。またケース体２４の前部両端に、回転清掃体５１のブレード５５に吸気流を吹き付けて、回転清掃体５１を回転させるための吸気口６０が開口されている。そして通常は、回転清掃体５１が回転することによってジュータン等の表面や内部に入り込んだ塵埃をブレード５５が掻き出し、吸込口２８から吸引される外気によって前記塵埃が運ばれて、掃除機本体の塵埃収納室（図示せず）に運ばれていく（例えば、特許文献１参照）。
【特許文献１】特許第３５０３８６８号公報
【発明の開示】
【発明が解決しようとする課題】
【０００４】
しかしながら、前記従来の構成では、毛足の長いジュータンを清掃する場合は、毛足の長いジュータンに阻まれて、吸込口２８から入ってくる外気の量が減少するため、毛足の長いジュータンの奥に入り込んだ塵埃を掻きだし、掻き出した塵埃を運ぶことは、容易ではなく、また吸気口６０からの吸気流が存在はするものの、ジュータンと回転清掃体５１との接地部に向けて吹き付けられるものではないため、塵埃を掻きだし、掻き出した塵埃を運ぶことへの寄与は少なく、結果として、毛足の長いジュータンの奥に入り込んだ塵埃を、十分には、除去できないという課題を有していた。
【０００５】
本発明は、前記従来の課題を解決するもので、吸気口から取り込む空気の流れをうまく利用してジュータン等からの塵埃除去を容易にした電気掃除機を提供することを目的とする。
【課題を解決するための手段】
【０００６】
前記従来の課題を解決するために、本発明の電気掃除機は、被掃除面と対向する面に吸込み口を設けると共に回転ブラシを内蔵した集塵部を有するアプライト型電気掃除機において、前記回転ブラシ前方斜め上方の集塵部の外郭に外気取入口を形成し、前記外気取入口から吸引される外気を、前記回転ブラシと被掃除面との接地部に向けて噴出する構成とした。
【０００７】
これにより、回転ブラシのブラシ部がジュータンを掻き分ける部分に集中的に空気を吹き付けることが可能となり、毛足の長いジュータンに吸込口を塞がれた場合でも、塵埃をジュータンから引き離すことが容易となり、また前記接地部に向けて吹き付けられた外気を利用して、引き離した塵埃を本体の下流側の塵埃収納室等へ運ぶことも容易となり、集塵効率、集塵性能等を向上させることが出来るものである。また、集塵部の前面が壁に近づいたとき、もしくは当接したときにも集塵部の前方斜め上方から吸気できるので、壁ぎりぎりまで床面の塵埃を吸込むことができ、隅掃除の効果を発揮できるものである。
【発明の効果】
【０００８】
本発明に係る電気掃除機は、集塵部の外気取入口から回転ブラシと被掃除面との接地部に向けて噴出される外気を利用して、毛足の長いジュータン等からの塵埃の除去性能とこれに伴う集塵効率を向上させることができるものである。
【発明を実施するための最良の形態】
【０００９】
第１の発明は、被掃除面と対向する面に吸込み口を設けると共に回転ブラシを内蔵した集塵部を有するアプライト型電気掃除機において、前記回転ブラシ前方斜め上方の集塵部の外郭に外気取入口を形成し、前記外気取入口から吸引される外気を、前記回転ブラシと被掃除面との接地部に向けて噴出する構成としたものである。
【００１０】
これにより回転ブラシのブラシ部がジュータンを掻き分ける部分に集中的に空気を吹き付けることが可能となり、毛足の長いジュータンに吸込口を塞がれた場合でも、塵埃をジュータンから引き離すことが容易となり、また前記接地部に向けて吹き付けられた外気を利用して、引き離した塵埃を本体の下流側の塵埃収納室等へ運ぶことも容易となり、集塵効率、集塵性能等を向上させることが出来るものである。また、集塵部の前面が壁に近づいたとき、もしくは当接したときにも集塵部の前方斜め上方から吸気できるので、壁ぎりぎりまで床面の塵埃を吸込むことができ、隅掃除の効果を発揮できるものである。
【００１１】
第２の発明は、第１の発明の外気取り入れ口から、回転ブラシと被掃除面との接地部に向けて、集塵部外郭の内壁から筒状のガイド部を延設したもので、回転ブラシのブラシ部がジュータンを掻き分ける部分に、より集中的に、空気を吹き付けることできるものである。
【００１２】
第３の発明は、第１の発明の外気取入口に開閉弁を設け、外気取入口を開閉自在に構成したもので、ジュータンが無いハードフロアー等の床面で外気取入口からの外気の噴出効果が期待できない場合に、外気取入口からの外気の噴出機能を停止させることで、床面の種類に応じた効率的な集塵性能を実現できるものである。
【００１３】
第４の発明は、第１または第２の発明の外気取入口または筒状のガイド部を、回転ブラシの回転軸方向に、複数個設けたもので、回転ブラシの回転軸方向の範囲の集塵性能を向上させることができるものである。
【００１４】
第５の発明は、第４の発明の外気取入口または筒状のガイド部の開口面積を、回転ブラシの回転軸の両端に近づくほど、大きくなるようにしたもので、吸気口部の場所によって圧力や風量が異なるため塵埃を除去および運搬する能力に差があるが、一般的にこの能力の低い箇所である、回転ブラシの回転軸方向の両端に近づくほど、開口面積を大きくして噴出する空気の流量を増やすことが有効であり、塵埃除去能力を高めることができるようになり、回転ブラシの幅方向に沿って、最適な集塵効率を確保することができるものである。
【００１５】
以下、本発明の実施の形態について、図面を参照しながら説明する。なお、本実施の形態によって本発明が限定されるものではない。
【００１６】
（実施の形態１）
本発明の第１の実施の形態について、図１〜図４を用いて説明する。
【００１７】
図１〜図４において、１は集塵部上１ａおよび集塵部下１ｂから成り、回転ブラシ２を内蔵する集塵室３を形成した集塵部である。集塵室下１ｂの下面には吸込口４を有している。
【００１８】
また回転ブラシ２の前方斜め上方の集塵部１の外郭には、外気を集塵室３に取り入れるための外気取入口５が設けられ、外気取入口５と連通すると共に、外気取入口５から取り入れられた外気を、回転ブラシ２と被掃除面との接地部に向けて噴出する筒状のガイド部６が、集塵部１の外郭の内壁から延設されている。
【００１９】
集塵部１には傾動自在に本体８が取り付けられ、電動送風機９、電源コ−ド１０を収納するコ−ド巻き取り装置１１をすると共に、塵埃を収納する紙袋１２を取り付けた塵埃収納室１３を形成している。１４は電動送風機９の動力を回転ブラシ２に伝えるベルト、１５は集塵室３と塵埃収納室１３をつなぐホース、１６はハンドル、１７は移動用ローラーである。
【００２０】
以上のように構成された電気掃除機について、以下その作用を説明する。
【００２１】
電気掃除機を運転すると、前記回転ブラシ２によって掻き上げられた塵埃が、吸込口４および外気取入口５から取り入れられた空気と共にホース１５を通って紙袋１２に送られ、そこで塵埃のみ濾過された空気が電動送風機９を通って外部へ排出される。
【００２２】
この過程の中で、回転ブラシ２がジュータンの当る部分の前端でジュータンの起毛が掻き分けられるが、ちょうどこの掻き分けられたところに筒状のガイド部６からの空気が勢い良く当るように構成していることから、ジュータンの奥に有る塵埃を吹き出し、その塵埃を回転ブラシ２で掻き上げ、更に後方の塵埃収納室１３へ運ぶことができ、高い塵埃除去性能および集塵性能を発揮することができるものである。
【００２３】
なお上記構成において、外気取入口５を、回転ブラシ２の前方斜め上方の、集塵部１の外郭に配置したことにより、集塵部１の前面が壁に近づいた時、もしくはほぼ当接した時にも集塵部１の前面から吸気できるので、壁ぎりぎりまで床面の塵埃を吸込むことができ、隅掃除の効果を発揮できるものである。
【００２４】
（実施の形態２）
本発明の第２の実施の形態について、図５を用いて説明する。なお、上記実施の形態１と同一部分については同一符号を付してその詳細な説明を省略する。
【００２５】
図５において、１８は手動で動き、外気取入口５の開放および閉塞の選択を行うための開閉弁である。
【００２６】
上記開閉弁１８を設けることにより、ジュータンが無いハードフロアー等回転ブラシ２の必要性がほとんど無い床面ではこの開閉弁１８を閉塞することにより、すべての吸気が吸込口４から取り入れられ、床面の塵埃をより効率よく吸い上げることができるものである。
【００２７】
（実施の形態３）
本発明の第３の実施の形態について、図６を用いて説明する。なお、上記実施の形態１、２と同一部分については同一符号を付してその詳細な説明を省略する。
【００２８】
図６は集塵部１の下面図であるが、筒状のガイド部６を回転ブラシ２の軸方向に沿って、複数個設けたものである。
【００２９】
なお、複数の筒状のガイド部６を、６ａ、６ｂ、６ｃ、６ｄのように設け、集塵部１の外側に向かうほど筒状のガイド部６の開口面積及びこれと連通する外気取入口５の開口面積を大きくし、具体的には、６ａが最も大きくなるように配設している。
【００３０】
以上のような構成で、回転ブラシ２のある幅方向の範囲の集塵性能を向上させることはもちろん、集塵性能が劣る両端部に、取り入れられる風量がより大きくなるように、開口面積の大きな筒状のガイド部６ａを設けることで、集塵部１の幅方向に沿って、均一に高い集塵性能を発揮できるものである。
【産業上の利用可能性】
【００３１】
以上のように、本発明にかかる電気掃除機によれば、特にジュータン上で高い集塵性能を発揮でき、家庭用、業務用を問わず、効果的なものである。
【図面の簡単な説明】
【００３２】
【図１】本発明の実施の形態１における電気掃除機の全体構成を示す断面図
【図２】同、電気掃除機の全体斜視図
【図３】同、電気掃除機の集塵部の要部断面図
【図４】同、電気掃除機の集塵部の空気の流れを示す要部断面図
【図５】本発明の実施の形態２における電気掃除機の集塵部の要部断面図
【図６】本発明の実施の形態３における電気掃除機の集塵部の底面図
【図７】従来の電気掃除機の集塵部の要部断面図
【符号の説明】
【００３３】
１    集塵部
２    回転ブラシ
４    吸込口
５    外気取入口
６    筒状のガイド部
９    電動送風機
１２  紙袋
１３  塵埃収納室
【図１】
2007282768.tif 000003
【図２】
2007282768.tif 000004
【図３】
2007282768.tif 000005
【図４】
2007282768.tif 000006
【図５】
2007282768.tif 000007
【図６】
2007282768.tif 000008
【図７】
2007282768.tif 000009